(57)【要約】【課題】容器内に収容される物品同士を個別に保持するとともに、使用時に物品を混合する作業の煩雑さを解消し、さらに資材の削減と省資源化も可能とする容器を提供する。【解決手段】上面１１が開口して開口縁部１２を形成する下部容器体１０と、上面３１に物品を収容する収容凹部３４を複数配するとともに、引張部材を備えた保護フィルム部５０をヒートシールにより収容凹部を被覆するように貼着して該保護フィルム部を剥離可能に備え、正常位置において開口縁部と組み合わされる係合部３８を備え下部容器体の上部に載置されるとともに、反転位置においても開口縁部と組み合わされる反転係合部３７を備え下部容器体の上部に載置される上部容器体３０とを有する容器１とする。【選択図】図１
2012101840.tif 000002
【特許請求の範囲】
【請求項１】
上面が開口して開口縁部を形成する下部容器体と、
上面に物品を収容する収容凹部を配するとともに該収容凹部を被覆する保護フィルム部を剥離可能に備え、正常位置において前記開口縁部と組み合わされる係合部を備え前記下部容器体の上部に載置されるとともに、反転位置においても前記開口縁部と組み合わされる反転係合部を備え前記下部容器体の上部に載置される上部容器体とを有する
ことを特徴とする容器。
【請求項２】
前記収容凹部が複数である請求項１に記載の容器。
【請求項３】
前記保護フィルム部が前記上部容器体にヒートシールにより貼着されている請求項１または２に記載の容器。
【請求項４】
前記保護フィルム部に引張部材が備えられる請求項１ないし３のいずれか１項に記載の容器。
【発明の詳細な説明】
【技術分野】
【０００１】
本発明は容器に関し、特に別々の容器内に収容された物品を簡単に一緒にすることができる容器に関する。
【背景技術】
【０００２】
近年、コンビニエンスストア等で販売される飲食物の種類は極めて多彩であり、惣菜や弁当やサンドイッチ等に加えてサラダ、デザート、または麺類、その他の加工食品類と広がりを見せている。このような食品を販売する場合、合成樹脂シート製の容器本体に蓋体を重ね合わせた形態の容器が多用されている。
【０００３】
列記の食品のうち、弁当類では１個の容器内に全ての食材を盛りつける包装、販売が一般的である。これは、詰め合わされる食材同士の味がよくなじみ、全体として美味しさを呈する加工、調理法によるためである。また、使用される食材の水分含有率も比較的そろっているためである。これに対し、主に蕎麦、うどん、パスタ等の麺類の場合、製造時点で麺類とその上に載せる食材とを一緒とすることもある。しかし、麺類とその上に載せる食材の水分含有率との間に差があることもある。このことから、喫食時にすでにふやけた状態となり食味が悪くなりやすい。近年、食味に対する要望が高まっているとともに、各小売店、販売者にとって、他業者との差別化、顧客満足度を得るために無視できない問題である。
【０００４】
そこで、比較的簡便な対応として、容器本体及び蓋体からなる容器の中に、さらに中皿（中蓋）を使用した容器がある（例えば、特許文献１等）。特許文献１等の容器によると、例えば、容器の最下部に麺類を収容し、その上に中皿を置き、ここに適宜の食材を載せ、最後に蓋体を被せることとなる。特許文献１等の容器の場合、喫食前の食材同士の混合を抑えて、できたての食味に近づけることは可能である。また、トッピングされる食材が中皿上に並べられるため、見た目の華やかさも演出される。
【０００５】
ところが、特許文献１等の容器の場合、中皿上の食材を容器本体側へ移すことは、時間を要して容易ではなく、むしろ消費者に煩わしさを与える等、喫食前に興趣を萎えさせてしまうおそれもある。中皿上に小分けされた食材の品数が増すほど手間取ってしまう。また、容器として不可欠な容器本体と蓋体に加えて中皿等も新たに付加されるため、容器を構成する資材自体の増加も新たな問題となる。これは、資材経費の増加となる。さらに、省資源化の流れにも配慮すべきである。
【先行技術文献】
【特許文献】
【０００６】
【特許文献１】実用新案登録第３１３３０９８号公報
【発明の概要】
【発明が解決しようとする課題】
【０００７】
本発明は、前記の点に鑑みなされたものであり、容器内に収容される物品同士を個別に保持するとともに、使用時に混合する作業の煩雑さを解消し、さらに資材の削減と省資源化も可能とする容器を提供するものである。
【課題を解決するための手段】
【０００８】
すなわち、請求項１の発明は、上面が開口して開口縁部を形成する下部容器体と、上面に物品を収容する収容凹部を配するとともに該収容凹部を被覆する保護フィルム部を剥離可能に備え、正常位置において前記開口縁部と組み合わされる係合部を備え前記下部容器体の上部に載置されるとともに、反転位置においても前記開口縁部と組み合わされる反転係合部を備え前記下部容器体の上部に載置される上部容器体とを有することを特徴とする容器に係る。
【０００９】
請求項２の発明は、前記収容凹部が複数である請求項１に記載の容器に係る。
【００１０】
請求項３の発明は、前記保護フィルム部が前記上部容器体にヒートシールにより貼着されている請求項１または２に記載の容器に係る。
【００１１】
請求項４の発明は、前記保護フィルム部に引張部材が備えられる請求項１ないし３のいずれか１項に記載の容器に係る。
【発明の効果】
【００１２】
請求項１の発明に係る容器によると、上面が開口して開口縁部を形成する下部容器体と、上面に物品を収容する収容凹部を配するとともに該収容凹部を被覆する保護フィルム部を剥離可能に備え、正常位置において前記開口縁部と組み合わされる係合部を備え前記下部容器体の上部に載置されるとともに、反転位置においても前記開口縁部と組み合わされる反転係合部を備え前記下部容器体の上部に載置される上部容器体とを有するため、容器内に収容される物品同士を個別に保持するとともに、使用時に混合する作業の煩雑さを解消し、さらに資材の削減と省資源化も可能とすることができる。
【００１３】
請求項２の発明に係る容器によると、請求項１の発明において、前記収容凹部が複数であるため、下部容器体内に収容されている物品に組み合わせることができる物品の種類を増やすことができる。
【００１４】
請求項３の発明に係る容器によると、請求項１または２の発明において、前記保護フィルム部が前記上部容器体にヒートシールにより貼着されているため、保護フィルム部を貼着する際の異物混入のおそれが極めて少なく安全性が高い。
【００１５】
請求項４の発明に係る容器によると、請求項１ないし３のいずれか１項に記載の発明において、前記保護フィルム部に引張部材が備えられるため、失敗なく円滑に保護フィルム部を上部容器体から剥離することができる。
【図面の簡単な説明】
【００１６】
【図１】本発明の一実施例に係る容器の全体を分解して示す斜視図である。
【図２】容器の部分拡大平面図である。
【図３】保護フィルムの全体斜視図である。
【図４】図２のＸ−Ｘ線における上部容器体の正常位置の拡大断面図である。
【図５】図２のＸ−Ｘ線における上部容器体の反転位置の拡大断面図である。
【図６】実施例の容器の使用態様を示す第１断面図である。
【図７】実施例の容器の使用態様を示す第２断面図である。
【図８】実施例の容器の使用態様を示す第３断面図である。
【図９】実施例の容器の使用態様を示す第４断面図である。
【図１０】実施例の容器の使用態様を示す第５断面図である。
【発明を実施するための形態】
【００１７】
請求項１をはじめとする発明に規定する容器１は、図１のそれぞれ分解して示す全体斜視図のとおり、下部容器体１０と、下部容器体１０の上部に正常位置並びに反転位置のいずれでも載置可能な上部容器体３０と、上部容器体３０を保護する保護フィルム部５０を備える。図示では、下部容器体１０及び上部容器体３０はともに平面視で長辺と短辺が交互となる八角形形状である。なお、下部容器体１０及び上部容器体３０の形状は図示に限られず適宜であり、辺同士の接合部分が湾曲状に面取りされた形態も含まれる。
【００１８】
容器１において、保護フィルム部５０を除く下部容器体１０及び上部容器体３０は、ポリエチレン、ポリプロピレン、ポリスチレン、ポリエチレンテレフタレート等の熱可塑性樹脂のシート（合成樹脂シート）、さらにはポリ乳酸等の生分解性樹脂の熱可塑性樹脂のシートから形成される。前記の合成樹脂シートは真空成形により図示をはじめとする各種形状に成形される。合成樹脂シートの厚さは適宜ではあるものの、概ね１ｍｍ以下の厚さである。下部容器体１０と上部容器体３０の組み合わせにおいて、合成樹脂シートの原料樹脂を双方とも同一種類としても異なる種類としてもよい。樹脂の種類は用途、内容物、包装対象により適宜選択される。なお、下部容器体１０と上部容器体３０のいずれかもしくは両方を紙やその他の可撓性素材から製造することもできる。
【００１９】
下部容器体１０は、その上面１１が開口して開口縁部１２が形成される。この開口縁部１２に当該開口縁部から下部容器体の外部側に折り返される折り曲げ壁部１３が形成される。そして、開口縁部１２の下部容器体の内部側は内周壁部１７となる。下部容器体１０では、上面１１の直下に下部容器壁部１５と下部容器底部１６が配されて下部容器本体内部１４が形成され、容器構造となっている。図示の下部容器体１０は平面視で変則な八角形形状であることから、下部容器角部１８と下部容器辺部１９の組み合わせとなる。
【００２０】
図示では下部容器体１０を麺類、米飯等の単一種類の物品（食材）の収容目的として想定されている。このため、下部容器体１０を単一の下部容器本体内部１４としている。複数種類の物品（食材）を下部容器本体内部１４に収容可能にしようとする場合、容器本体内部を区画する仕切り部（図示せず）を下部容器壁部や下部容器底部に備えることもできる。
【００２１】
上部容器体３０の上面３１に、食材等の物品を収容する収容凹部３４が配される。図示の上部容器体３０では、請求項２の発明に規定するように、収容凹部３４は複数（５箇所）備えられる。図示時計回りに第１収容凹部３４ａ、第２収容凹部３４ｂ、第３収容凹部３４ｃ、第４収容凹部３４ｄ、及び第５収容凹部３４ｅである。収容凹部３４は収容内壁部３５と収容底部３６により凹形状に構成される。第１ないし第５収容凹部に対応して、図示時計回りに第１収容内壁部３５ａ、第２収容内壁部３５ｂ、第３収容内壁部３５ｃ、第４収容内壁部３５ｄ、及び第５収容内壁部３５ｅと、第１収容底部３６ａ、第２収容底部３６ｂ、第３収容底部３６ｃ、第４収容底部３６ｄ、及び第５収容底部３６による構成である。
【００２２】
上部容器体３０のように収容凹部３４を複数であることにより、下部容器体１０内（下部容器本体内部１４）に収容されている物品に組み合わせられる物品の種類を増やすことができる。特に、物品を食品とする場合、様々な味覚や食感の食材を組み合わせ可能となるため、出来上がった後の見た目、美味しさ等が高められる。
【００２３】
上部容器体３０の上面３１に保護フィルム部５０が貼着（貼付）される。そこで、収容凹部３４（第１収容凹部３４ａないし第５収容凹部３４ｅ）は被覆される。収容凹部３４の内部に収容されている食材等の物品は上部容器体３０の外部から区画されて保護される。後述するように、保護フィルム部５０は上部容器体３０から剥離可能としている。図中、符号５１はフィルム体、５２は引張部材である（後に詳述する）。
【００２４】
上部容器体３０の上面３１の周囲に周設壁部３９が形成される。周設壁部３９を介して上面３１から１段下がった位置に周設縁部３２が形成される。そして、周設縁部３２の外縁を取り囲む垂下壁部３３が形成される。図示の上部容器体３０では、周設縁部３２及び垂下壁部３３に一体となる操作部２０も備えられている。操作部２０は半球状のつまみ部２１を有し、同つまみ部２１内に窪み部２２を備える。操作部２０は上部容器体３０を下部容器体１０から取り外す際に用いられる。図中、符号３７は反転係合部、３８は係合部である（後に詳述する）。
【００２５】
図２は容器１の部分拡大平面図であり、上部容器体３０を実線とし、下部容器体１０を細破線とし、保護フィルム部５０を細二点鎖線として図１に開示の第１収容凹部３４ａ付近を拡大して示す。保護フィルム部５０と上部容器体３０との貼着に際し、双方間で適度な接着強度が確保できる限り、接着剤、両面テープ等により貼着することができる。ただし、本発明の容器１の収容物品が食品（食材）であることを勘案すると、請求項３の発明に規定するように、保護フィルム部５０は上部容器体３０にヒートシールにより貼着される。ヒートシールによる貼着では、接着剤、両面テープ等を用いることがなく、所定部位の加熱により保護フィルム部５０と上部容器体３０の接着が完了する。このため、貼着時の異物混入のおそれが極めて少なく安全性が高い。
【００２６】
上部容器体３０では、上面３１の「＊」を付した部位がヒートシール貼着部位４０である。ヒートシール貼着部位４０に保護フィルム部５０が重ねられ、適宜のヒートシーラーによりヒートシール貼着が実施される。保護フィルム部５０と上部容器体３０とのヒートシール強度が極端に高ければ、上手く保護フィルム部５０を上部容器体３０から剥離することができない。また、ヒートシール強度が弱すぎれば、簡単に保護フィルム部５０が上部容器体３０から剥離してしまい、収容凹部３４の内部に収容されている物品の保護に役立たない。そこで、適切なヒートシール貼着部位の選択、ヒートシール強度の設定、さらには、保護フィルム部のフィルム体を形成する樹脂種や構造が選択される。フィルム体５１は、凝集破壊性や層間破壊性を備えた公知のヒートシールフィルムにより構成される。
【００２７】
本発明の保護フィルム部５０について図３の全体斜視図を用いさらに説明する。喫食時に保護フィルム部５０を上部容器体３０から剥離する場合、単にフィルム体５１を上部容器体３０から引っ張り出すこともできる。しかし、引っ張り出す途中でフィルム体５１が上面３１に引っかかる他、フィルム体自体が破断するおそれもある。このようなことから、請求項４の発明に規定するように、保護フィルム部５０では、フィルム体５１に引張部材５２が備えられる。引張部材５２により失敗なく円滑に保護フィルム部５０を上部容器体３０から剥離することができる。引張部材５２は適宜の帯状フィルムからなる。後述するように、上部容器体３０をひっくり返した反転位置とした後に引張部材５２が引っ張られる。そこで、引張部材５２は薄手のフィルムとすることにより余分な抵抗を受けないため都合よい。
【００２８】
また、図示のとおり、引張部材５２は折り返し部５３を介してフィルム体５１の背面側に回り込み、フィルム体５１の引張部材５２が備えられている側の反対側の面に接着される。フィルム体５１において、引張部材５２の引張端５４の対角反対側もフィルム体５１の同じ面側に接着されていたと仮定する。喫食時に保護フィルム部５０を上部容器体３０から剥離しようとする場合、引張端５４を引っ張ると引張部材５２のみがフィルム体５１から分離して、肝心のフィルム体５１がそのまま上部容器体３０に残留するおそれもあり得る。つまり、保護フィルム部５０の剥離不良である。図示のように、引張部材５２は折り返し部５３を介してフィルム体５１の背面側まで達しているため、フィルム体５１は必ず折り返し部５３側を始点に上部容器体３０から剥離可能となる。この剥離の仕方では、折り返し部５３側から徐々に剥離できるため無理な力が加わることがない。比較的きれいに保護フィルム部５０を上部容器体３０から剥離することができる。
【００２９】
図２の並びに図４，５の断面図を用い、上部容器体３０の正常位置と反転位置の各位置における係合状態を説明する。図２及び図４は下部容器体１０の上部の所定位置に上部容器体３０を載置した通常の状態であり、図２，４の上部容器体３０は正常位置である。容器１の構造では、下部容器体１０の開口縁部１２及び折り曲げ壁部１３に対し、上部容器体３０の周設縁部３２及び垂下壁部３３が外嵌する係合の形態である。それゆえ、周設縁部３２及び垂下壁部３３は、開口縁部１２及び折り曲げ壁部１３に対する係合部３８となる。
【００３０】
上部容器体３０の周設縁部３２は下部容器体１０の開口縁部１２に当接（面接触）しているため、上部容器体３０は下部容器体１０の上部に安定して載置される。そして、下部容器体１０の折り曲げ壁部１３の外方側は上部容器体３０の垂下壁部３３により囲まれているため、図示のとおり双方間で嵌合が成立する。加えて、垂下壁部３３には上部容器体３０の内部側へ突出する突状部３３ｊが複数箇所設けられる。上部容器体３０が正常位置であるとき、折り曲げ壁部１３の下端部分は突状部３３ｊにより押圧されるとともに係止される。このことから、垂下壁部３３から折り曲げ壁部１３に対してより大きな係合力が生じる。
【００３１】
図５は図４と異なり、下部容器体１０の上部の所定位置に上部容器体３０をひっくり返して（反転させて）載置した喫食直前の状態であり、上部容器体３０は反転位置である。実施例の容器１の構造では、上部容器体３０の反転係合部３７は下部容器体１０の開口縁部１２に当接するとともに、反転係合部３７の直下の周設壁部３９が内周壁部１７と当接する反転係合部３７で嵌合する係合の形態である。容器１（上部容器体３０）の形状から把握されるように、反転係合部３７は４箇所の配置である。そこで、反転位置にある上部容器体３０は、反転係合部３７の部分で下部容器体１０の上部に仮置き状態となる。このことから、反転係合部３７以外の部分では内周壁部１７と周設壁部３９との間に隙間が生じる。この隙間は、後出する図９のように、保護フィルム部５０を引っ張り出す再のフィルム体５１の抜け道となる。
【実施例】
【００３２】
これより図６ないし図１０を用い、本発明の容器１を食品等の物品の収容に使用して当該食品を喫食する際の取り扱い方、使用手順を説明する。ちなみに、容器に収容される食品として、コンビニエンスストア等で販売されるような冷やしうどん、冷やし中華、冷麺、蕎麦、またはパスタ等の麺類が例示される。下部容器体１０の下部容器本体内部１４に収容される物品Ｃ０は例えばうどん等の麺類であり、主食材である。上部容器体３０の収容凹部３４に収容保持される他の物品Ｃ１、Ｃ２、及びＣ３は、物品Ｃ０上にトッピング（添加）される物品である。物品Ｃ１、Ｃ２、及びＣ３は、例えばゆで卵、錦糸卵、ねぎ、わかめ、揚げ玉、きゅうり、トマト、アボカド、キムチ、梨、ハム、海老、しそ、胡麻、紅生姜、油揚げ、天ぷら、チーズ、オリーブ、漬け物、鰹節、海苔等の各種食品から適宜選択される。
【００３３】
図６は、下部容器体１０の上部に正常位置にある上部容器体３０を載置した状態を示す。容器１の販売時等の状態であり、何ら上部容器体３０には操作が加えられていない。図示では、下部容器本体内部１４は物品Ｃ０を収容する。第２収容凹部３４ｂは物品Ｃ１を、第３収容凹部３４ｃは物品Ｃ２を、第４収容凹部３４ｄは物品Ｃ３をそれぞれ収容する。自明ながら各収容凹部は区画されているため、個々の物品同士が喫食前に混じることはない。各収容凹部の上面はヒートシール貼着の保護フィルム部５０（フィルム体５１）により被覆される。各収容凹部内の物品は容器外部から保護される。下部容器体１０に対する上部容器体３０の係合は、前述のとおり、下部容器体１０の開口縁部１２及び折り曲げ壁部１３と、上部容器体３０の周設縁部３２及び垂下壁部３３との外嵌となる。
【００３４】
図７は、正常位置のまま上部容器体３０を下部容器体１０の上部からを取り外した状態を示す。同図から把握されるように、上部容器体３０そのものが、物品Ｃ０を収容する下部容器体１０の蓋となる。保護フィルム部５０は、上部容器体３０に収容される物品Ｃ１ないしＣ３を被覆、保護しているため、上部容器体３０の収容凹部３４専用の蓋は省略可能となる。それゆえ、容器１を構成する資材の軽減が可能となる。
【００３５】
図８は、持ち上げられた上部容器体３０をひっくり返して反転位置とした状態である。従前の保護フィルム部が貼着されていない容器（前出の特許文献１等）では、いったん外蓋や中蓋等を外した後にトッピング用の物品を収容する中皿を不用意に傾けることはできず、下側の容器体側へ移すまで慎重な取り扱いを要する。これに対し、本発明の実施例では、保護フィルム部５０が上部容器体３０に貼着されている。このため、上部容器体３０を多少乱暴に取り扱ったとしても、上部容器体３０の各収容凹部に収容される物品Ｃ１ないしＣ３は直ちに落下することはない。つまり、トッピング用の物品Ｃ１ないしＣ３を収容する上部容器体３０の取り扱いは簡単である。
【００３６】
図９は、いったん上部容器体３０を持ち上げて反転位置とし、再び下部容器体１０の上部に載置した状態である。しかも、保護フィルム部５０の貼着が解除されはじめている。反転位置の上部容器体３０と下部容器体１０の内周壁部１７との係合は図５等の説明と同様であるため省略する。例えば、従前の容器（前出の特許文献１等）の場合、トッピング用の物品を収容する中皿を持ち上げて下側の容器体と分離した後、下側の容器体側へ中皿に収容される物品を少しずつ箸やスプーン等により下部容器体１０側へ移さなければならなかった。喫食前における当該作業は繁雑で時間を要し、その途中で物品をこぼしてしまうおそれもある。
【００３７】
上記の問題点に対処するべく、本発明の容器１における最大の特徴は、一方の容器（上部容器体３０）を反転させることにより一方の容器（上部容器体３０）内の物品を他方の容器（下部容器体１０）側に移動可能とした点にある。ただし、ただ単に反転させるだけでは、その途中で一方の容器（上部容器体３０）内の物品がこぼれ落ちてしまう。そこでさらに、剥離可能な保護フィルム部５０を貼着させることにより、反転位置のままでも上部容器体３０の収容凹部３４内に物品Ｃ１ないしＣ３を保持可能としている。そして、喫食時になってはじめて保護フィルム部５０を剥離することに伴い、上部容器体３０側から物品は落下移動することができる。
【００３８】
引張部材５２を引っ張ることによりフィルム体５１は引き寄せられる。そして、保護フィルム部５０は反転位置の上部容器体３０から徐々に剥離しはじめる。図示では、最初に剥離しはじめた部分の直上の収容凹部３４となる第４収容凹部３４ｄから物品Ｃ３が落下移動している様子である。
【００３９】
図１０は、保護フィルム部５０を完全に剥離し終えた後の状態である。保護フィルム部５０の直上に位置する上部容器体３０の収容凹部３４（３４ｄ，３４ｃ，３４ｂ）から物品Ｃ３、Ｃ２、及びＣ１が順に落下して、下部容器本体内部１４に収容されている物品Ｃ０上に移動したことがわかる。このように、上部容器体３０の反転、保護フィルム部５０の剥離（引張部材５２を引っ張る）の２段階を経るのみで簡単に全ての物品の移動が可能である。従って、従前の容器が内包していた物品移動の煩雑さを簡単かつ瞬時に解消できる。
【００４０】
図示からわかるように、上部容器体３０の収容凹部３４の配置とほぼ同様に物品は移動するため、上部容器体３０の収容凹部３４に収容されている物品の配置が崩れることなくそのまま反転移動できるため喫食時の見た目も悪くならず良好な雰囲気をそのまま維持することができる。しかも、保護フィルム部５０の剥離は、片手で簡単に行うことができるため、容器のバリアフリー化に資する。また、あたかもテーブルクロス引きのような面白さも演出することができる。総合的に、他商品との差別化、購入者や販売者への訴求性につながる容器としての提案が可能である。
【００４１】
なお、本発明の容器における下部容器体、上部容器体の材質、大きさ、形状、さらには収容凹部の個数、保護フィルム部の貼着の強さ等は、容器の使用目的、収容物品の種類を勘案して最適に選択される。このため、図示し詳述した実施例の構成や物品のみには限定されない。例えば、実施例に開示の麺類とそのトッピングの物品に限られず、弁当類、炒飯、ナシゴレン、ピラフ、またはオープンサンドイッチ、サラダ等に対し、クラッカー、オムレツ、麻婆豆腐等の惣菜のトッピングも想定できる。アイスクリーム、ホットケーキ、ケーキ類、パフェやサンデー、あんみつ、ぜんざい、杏仁豆腐等の菓子類に対し、栗、アーモンド、チョコレート、こしあんや粒あん等のトッピングのように種々の食品包装への適用が可能である。食品包装以外の分野として、複数種類の薬剤を調合する用途も有望である。例えば、ひとつの基本となる薬剤（薬草）を下部容器体に収容するとともに上部容器体に他の薬剤を何種類か収容し、使用時に調合して仕上げる漢方薬等の調剤薬局用容器も勘案される。その他、反応性が高い化学物質を保存状態では別々に分けておき、使用時に混合する用途の保存容器の用途も検討される。
【符号の説明】
【００４２】
１  容器
１０  下部容器体
１１  上面
１２  開口縁部
１３  折り曲げ壁部
１４  下部容器本体内部
１７  内周壁部
２０  操作部
３０  上部容器体
３１  上面
３２  周設縁部
３３  垂下壁部
３３ｊ  突状部
３４  収容凹部
３５  収容内壁部
３６  収容底部
３７  反転係合部
３８  係合部
３９  周設壁部
４０  ヒートシール貼着部位
５０  保護フィルム部
５１  フィルム体
５２  引張部材
５３  折り返し部
Ｃ０，Ｃ１，Ｃ２，Ｃ３  物品
【図１】
2012101840.tif 000003
【図２】
2012101840.tif 000004
【図３】
2012101840.tif 000005
【図４】
2012101840.tif 000006
【図５】
2012101840.tif 000007
【図６】
2012101840.tif 000008
【図７】
2012101840.tif 000009
【図８】
2012101840.tif 000010
【図９】
2012101840.tif 000011
【図１０】
2012101840.tif 000012